(57)【要約】【課題】アダプタ装着部の構造に拘わらず放熱効率を向上させる。【解決手段】電子機器本体に形成されたアダプタ装着部に装着可能に構成され、アダプタ装着部に装着された状態において、アダプタ装着部の装着面（アダプタ装着部を構成する壁面）に対向する主面３１ａには、主面から伝わる熱を吸熱して放熱する放熱板３３ａが設けられている。このように構成することで、ＡＣアダプタ３で発生した熱を放熱板３３ａに伝導させて、放熱板３３ａからアダプタ装着部の装着面を介して電子機器本体に放熱させることができるため、アダプタ装着部の構造の如何に拘わらず、ＡＣアダプタ３で発生した熱を確実に放熱することができる結果、放熱効率を十分に向上させることができる。【選択図】図５
2013176237.tif 000002
【特許請求の範囲】
【請求項１】
電子機器本体のアダプタ装着部に装着可能に構成されたＡＣアダプタであって、
前記アダプタ装着部に装着された状態において当該アダプタ装着部の装着面に対向する主面には、当該主面から伝わる熱を吸熱して放熱する放熱部が設けられているＡＣアダプタ。
【請求項２】
前記アダプタ装着部に対してスライドさせて装着される請求項１記載のＡＣアダプタ。
【請求項３】
前記アダプタ装着部の前記装着面に前記主面が対向する状態で嵌め込んで装着される請求項１記載のＡＣアダプタ。
【請求項４】
前記放熱部は、金属板、放熱シートおよび放熱フィンのいずれかで構成されている請求項２または３記載のＡＣアダプタ。
【請求項５】
前記装着面に対向する前記放熱部の表面には、樹脂フィルムが取り付けられている請求項４記載のＡＣアダプタ。
【請求項６】
請求項１から５のいずれかに記載のＡＣアダプタと、前記電子機器本体とを備えている電子機器。
【請求項７】
前記電子機器本体の前記装着面には、前記放熱部から放熱される熱を吸収する吸熱部が当該電子機器本体とは別個に設けられている請求項６記載の電子機器。
【請求項８】
前記ＡＣアダプタの前記放熱部は、放熱フィンで構成され、
前記電子機器本体の前記吸熱部は、前記放熱フィンと噛合する吸熱フィンで構成されている請求項７記載の電子機器。
【発明の詳細な説明】
【技術分野】
【０００１】
本発明は、電子機器本体のアダプタ装着部に装着可能なＡＣアダプタ、およびそのＡＣアダプタを備えた電子機器に関するものである。
【背景技術】
【０００２】
この種の電子機器として、特開平７−９３０６５号公報に開示された電子機器（パーソナルコンピュータ）が知られている。この電子機器では、電子機器本体における背面側の角部を切り欠いて形成した収納部にＡＣアダプタを着脱することが可能となっている。この場合、この電子機器では、収納部にＡＣアダプタを収納させた（装着した）状態において、ＡＣアダプタの底面および２つの側面（合計３つの面）が外部に露出するように構成されており、このように構成することで、ＡＣアダプタ内で発生した熱の放熱性の向上が図られている。
【先行技術文献】
【特許文献】
【０００３】
【特許文献１】特開平７−９３０６５号公報（第２頁、第１図）
【発明の概要】
【発明が解決しようとする課題】
【０００４】
ところが、上記の電子機器には、以下の問題点が存在する。すなわち、この電子機器では、ＡＣアダプタの底面および２つの側面だけが外部に露出するように構成されている。つまり、この電子機器では、これらの３つの面を除く他の３つの面は、外部には露出しない状態となっている。このため、この電子機器では、ＡＣアダプタ内で発生する熱量が多いときには、これらの熱を十分に放熱（放散）することができないという問題点が存在する。また、この電子機器では、電子機器本体における背面側の角部に設けた収納部にＡＣアダプタを収容する必要がある。したがって、この電子機器では、ＡＣアダプタを収容する収納部の位置や形状（収納部の構造）が限定される結果、電子機器を設計する上での制約を受けるという問題点も存在する。
【０００５】
本発明は、かかる課題を解決すべくなされたものであり、アダプタ装着部の構造に拘わらず放熱効率を向上させ得るＡＣアダプタおよび電子機器を提供することを主目的とする。
【課題を解決するための手段】
【０００６】
上記目的を達成すべく請求項１記載のＡＣアダプタは、電子機器本体のアダプタ装着部に装着可能に構成されたＡＣアダプタであって、前記アダプタ装着部に装着された状態において当該アダプタ装着部の装着面に対向する主面には、当該主面から伝わる熱を吸熱して放熱する放熱部が設けられている。
【０００７】
また、請求項２記載のＡＣアダプタは、請求項１記載のＡＣアダプタにおいて、前記アダプタ装着部に対してスライドさせて装着される。
【０００８】
また、請求項３記載のＡＣアダプタは、請求項１記載のＡＣアダプタにおいて、前記アダプタ装着部の前記装着面に前記主面が対向する状態で嵌め込んで装着される。
【０００９】
また、請求項４記載のＡＣアダプタは、請求項２または３記載のＡＣアダプタにおいて、前記放熱部は、金属板、放熱シートおよび放熱フィンのいずれかで構成されている。
【００１０】
また、請求項５記載のＡＣアダプタは、請求項４記載のＡＣアダプタにおいて、前記装着面に対向する前記放熱部の表面には、樹脂フィルムが取り付けられている。
【００１１】
また、請求項６記載の電子機器は、請求項１から５のいずれかに記載のＡＣアダプタと、前記電子機器本体とを備えている。
【００１２】
また、請求項７記載の電子機器は、請求項６記載の電子機器において、前記電子機器本体の前記装着面には、前記放熱部から放熱される熱を吸収する吸熱部が当該電子機器本体とは別個に設けられている。
【００１３】
また、請求項８記載の電子機器は、請求項７記載の電子機器において、前記ＡＣアダプタの前記放熱部は、放熱フィンで構成され、前記電子機器本体の前記吸熱部は、前記放熱フィンと噛合する吸熱フィンで構成されている。
【発明の効果】
【００１４】
請求項１記載のＡＣアダプタおよび請求項６記載の電子機器によれば、電子機器本体のアダプタ装着部に装着された状態においてアダプタ装着部の装着面に対向するＡＣアダプタの主面に放熱部を設けたことにより、ＡＣアダプタで発生した熱を放熱部に伝導させて装着面を介して電子機器本体に放熱させることができる。このため、このＡＣアダプタおよび電子機器によれば、アダプタ装着部の構造上、装着状態においてＡＣアダプタの主面が外部に露出しない場合においても、つまり、アダプタ装着部の構造の如何に拘わらず、ＡＣアダプタで発生した熱を確実に放熱させることができる。したがって、このＡＣアダプタおよび電子機器によれば、放熱効率を十分に向上させることができると共に、アダプタ装着部の構造を任意に規定することができる。
【００１５】
請求項２記載のＡＣアダプタおよび請求項６記載の電子機器によれば、電子機器本体のアダプタ装着部に対してＡＣアダプタをスライドさせて装着可能に構成したことにより、１面（１箇所）にのみ開口部を有するアダプタ装着部に対してＡＣアダプタを容易に装着することができ、このような構造のアダプタ装着部に装着した状態、つまりＡＣアダプタにおける６つの面のうちの５つの面が外部に露出しない状態においても、ＡＣアダプタで発生した熱を確実に放熱させることができる。
【００１６】
請求項３記載のＡＣアダプタおよび請求項６記載の電子機器によれば、アダプタ装着部の装着面に主面が対向する状態でＡＣアダプタを嵌め込んで装着可能に構成したことにより、主面と同等の広い開口部を有するアダプタ装着部に対してＡＣアダプタを容易に装着することができる。また、このような構造のアダプタ装着部に装着した状態において、ＡＣアダプタで発生した熱を放熱部に伝導させてアダプタ装着部の装着面を介して電子機器本体に確実に放熱させることができる。
【００１７】
請求項４記載のＡＣアダプタおよび請求項６記載の電子機器によれば、金属板、放熱シートおよび放熱フィンのいずれかで放熱部を構成したことにより、これらが高い熱伝導率を有しているため、放熱効率をさらに向上させることができる。
【００１８】
請求項５記載のＡＣアダプタおよび請求項６記載の電子機器によれば、装着面に対向する放熱部の表面に樹脂フィルムを取り付けたことにより、ＡＣアダプタをアダプタ装着部に装着する際の装着面との摩擦抵抗を十分に少なく抑えることができるため、ＡＣアダプタをアダプタ装着部にスムーズに装着させることができる。
【００１９】
請求項７記載の電子機器によれば、電子機器本体の装着面に吸熱部を設けたことにより、ＡＣアダプタの放熱部から放熱された熱を効率的に吸収して電子機器本体側に伝導させることができるため、放熱効率をより向上させることができる。
【００２０】
請求項８記載の電子機器によれば、ＡＣアダプタの放熱部を放熱フィンで構成し、電子機器本体の吸熱部を放熱フィンと噛合する吸熱フィンで構成したことにより、吸熱フィンと放熱フィンとを互いに噛合させることで、吸熱フィンと放熱フィンとの接触面積を十分に大きくすることができるため、放熱効率を一層向上させることができる。
【図面の簡単な説明】
【００２１】
【図１】本体部１１の正面１１ａ側から見たテレビ１の斜視図である。
【図２】本体部１１の背面１１ｂ側から見たテレビ１の斜視図である。
【図３】本体部１１の正面１１ａ側から見たアダプタ装着部２２の斜視図である。
【図４】本体部１１の背面１１ｂ側から見たアダプタ装着部２２の斜視図である。
【図５】主面３１ａ側から見たＡＣアダプタ３の斜視図である。
【図６】主面３１ｂ側から見たＡＣアダプタ３の斜視図である。
【図７】ＡＣアダプタ３をテレビ本体２のアダプタ装着部２２に装着した状態のテレビ１の斜視図である。
【図８】テレビ１０１の斜視図である。
【図９】テレビ２０１におけるテレビ本体２０２の斜視図である。
【図１０】テレビ２０１におけるＡＣアダプタ２０３の斜視図である。
【発明を実施するための形態】
【００２２】
以下、添付図面を参照して、ＡＣアダプタおよび電子機器の実施の形態について説明する。
【００２３】
最初にテレビ１の構成について、図面を参照して説明する。図１に示すテレビ１は、電子機器の一例であって、テレビ本体２およびＡＣアダプタ３を備えて構成されている。
【００２４】
テレビ本体２は、電子機器本体に相当し、図１，２に示すように、本体部１１およびスタンド１２を備えて構成されている。本体部１１は、正面１１ａに配設された表示部２１（図１参照）、および本体部１１の筐体内に配設された駆動回路や表示データ生成回路（いずれも図示せず）を備えて構成されている。また、本体部１１の側面１１ｃ側には、ＡＣアダプタ３を装着するためのアダプタ装着部２２が形成されている。
【００２５】
アダプタ装着部２２は、図３，４に示すように、５つの壁面２３ａ〜２３ｅ（以下、区別しないときには「壁面２３」ともいう）で構成されて側面１１ｃに開口部２２ｂが形成された収容空間２２ａを有しており、この収容空間２２ａ内にＡＣアダプタ３を収容可能に構成されている。なお、各壁面２３ａ〜２３ｅが装着面に相当する。
【００２６】
また、図３，４に示すように、各壁面２３ａ〜２３ｅには、吸熱板２４ａ〜２４ｅ（以下、区別しないときには「吸熱板２４」ともいう）がそれぞれ設けられている。吸熱板２４は、テレビ本体２（電子機器本体）とは別個に設けられた吸熱部の一例であって、ＡＣアダプタ３における後述する放熱板３３ａ〜３３ｅから放熱（放散）される熱を吸収する（テレビ本体２側に熱を伝導させる）機能を有している。この吸熱板２４は、一例として、アルミニウムや銅などの熱伝導率が高い金属で形成された板材（金属板）で構成されている。また、壁面２３ｅ（収容空間２２ａの奥側に位置する壁面２３）には、ＡＣアダプタ３における後述するコネクタ３７が接続されるコネクタ２５が配設されている。
【００２７】
このテレビ１では、図１，２に示すように、テレビ本体２における本体部１１の筐体に通気口１１ｄが形成されており、筐体内に配設された駆動回路や表示データ生成回路から発生する熱、およびアダプタ装着部２２の吸熱板２４を介して吸収されるＡＣアダプタ３の熱がこの通気口１１ｄからテレビ本体２の外部に放熱される。
【００２８】
ＡＣアダプタ３は、一例として、整流回路およびトランス（いずれも図示せず）を備えて構成され、図外のＡＣ電源から供給される交流電力を降圧および整流して直流電力に変換する変換処理を実行し、テレビ本体２（表示部２１、駆動回路および表示データ生成回等）に直流電力を供給する。また、ＡＣアダプタ３は、図５，６に示すように、テレビ本体２のアダプタ装着部２２に装着可能な直方体状に形成されている。
【００２９】
また、図５，６に示すように、ＡＣアダプタ３の主面３１ａ，３１ｂ（ＡＣアダプタ３における６つの面のうちの面積が大きな２つの面）、および３つの側面３１ｃ〜３１ｅには放熱板３３ａ〜３３ｅ（以下、区別しないときには「放熱板３３」ともいう）がそれぞれ設けられている。放熱板３３は、放熱部の一例であって、ＡＣアダプタ３から発生して主面３１ａ，３１ｂおよび側面３１ｃ〜３１ｅから伝わる（伝導する）熱を吸熱して放熱する機能を有しており、ＡＣアダプタ３の筐体とは別個に設けられている。この放熱板３３は、一例として、アルミニウムや銅などの熱伝導率が高い金属で形成された板材（金属板）で構成されている。
【００３０】
また、放熱板３３ａ〜３３ｄの表面（外側に露出する面）には、樹脂フィルム３４が貼付されている（取り付けられている）。この樹脂フィルム３４は、ポリプロピレン（ＰＰ）、ポリエチレン（ＰＥ）およびポリエチレンテレフタレート（ＰＥＴ）などの摩擦係数が小さい樹脂で形成されている。
【００３１】
また、ＡＣアダプタ３の側面３１ｅ（テレビ本体２のアダプタ装着部２２に装着される際に壁面２３ｅに対向する面：背面）には、テレビ本体２のコネクタ２５に接続されるコネクタ３７が配設されている。さらに、ＡＣアダプタ３の側面３１ｆには、先端にプラグ３６（図１，２参照）が取り付けられた電源コード３５が配設されている。この場合、このＡＣアダプタ３では、アダプタ装着部２２の開口部２２ｂに側面３１ｅ側を挿入して、アダプタ装着部２２に対してスライドさせて装着することが可能となっている。
【００３２】
次に、テレビ１の使用方法、およびテレビ１の動作について、図面を参照して説明する。
【００３３】
このテレビ１を使用する際には、図１，２に示すように、テレビ本体２の本体部１１に形成されているアダプタ装着部２２にＡＣアダプタ３を装着する。具体的には、本体部１１の側面１１ｃに形成されているアダプタ装着部２２の開口部２２ｂ（図３，４参照）から収容空間２２ａ内に向けてＡＣアダプタ３を挿入する。この際に、収容空間２２ａを構成する各壁面２３ａ〜２３ｄに設けられている各吸熱板２４ａ〜２４ｄ（両図参照）とＡＣアダプタ３の主面３１ａ，３１ｂおよび側面３１ｃ，３１ｄに設けられている各放熱板３３ａ〜３３ｄ（図５，６参照）とが互いに対向した状態でスライドしつつ、ＡＣアダプタ３が収容空間２２ａ内に挿入される。
【００３４】
この場合、このＡＣアダプタ３では、放熱板３３ａ〜３３ｄの表面に摩擦係数が小さい樹脂フィルム３４が貼付されているため、ＡＣアダプタ３の挿入の際にアダプタ装着部２２の各吸熱板２４ａ〜２４ｄと樹脂フィルム３４とが摺動したとしても、両者の間の摩擦抵抗が少なく抑えられる。このため、このテレビ１では、ＡＣアダプタ３をアダプタ装着部２２（収容空間２２ａ内）にスムーズに挿入させることが可能となっている。
【００３５】
次いで、ＡＣアダプタ３を収容空間２２ａ内にさらに挿入することにより、アダプタ装着部２２の壁面２３ｅに配設されているコネクタ２５とＡＣアダプタ３のコネクタ３７とを接続させる。これにより、図７に示すように、テレビ本体２のアダプタ装着部２２にＡＣアダプタ３が装着される。
【００３６】
次いで、ＡＣアダプタ３の電源コード３５に取り付けられたプラグ３６を図外のＡＣ電源のコンセントに接続する。これにより、ＡＣアダプタ３に交流電力が供給される。また、ＡＣアダプタ３が、変換処理を実行して交流電力を降圧および整流して直流電力に変換し、テレビ本体２（表示部２１、駆動回路および表示データ生成回等）に直流電力を供給する。
【００３７】
次いで、テレビ本体２における図外の電源スイッチを操作する。これに応じて、テレビ本体２の表示データ生成回路が表示データを生成し、表示部２１が表示データに基づく画像を表示する。
【００３８】
一方、ＡＣアダプタ３の内部では、変換処理に伴って熱が発生し、その熱がＡＣアダプタ３の主面３１ａ，３１ｂおよび側面３１ｃ〜３１ｅに伝導する。この場合、このＡＣアダプタ３では、各主面３１ａ，３１ｂおよび各側面３１ｃ〜３１ｅに熱伝導率が高い放熱板３３が設けられているため、これらの各面３１ａ，３１ｂ，３１ｃ〜３１ｅに伝導した熱が各放熱板３３ａ〜３３ｅに伝導する。
【００３９】
また、このテレビ１では、ＡＣアダプタ３が装着されているアダプタ装着部２２の収容空間２２ａを構成する各壁面２３に熱伝導率が高い吸熱板２４がそれぞれ設けられているため、各放熱板３３に伝導した熱が各吸熱板２４に伝導する。つまり、ＡＣアダプタ３内部で発生した熱が、各放熱板３３から放熱されて各吸熱板２４によって吸収される（テレビ本体２に伝導する）。
【００４０】
また、各吸熱板２４によって吸収された熱は、テレビ本体２における本体部１１の筐体内に配設された駆動回路や表示データ生成回路から発生する熱と共に筐体に形成されている通気口１１ｄからテレビ本体２の外部に放熱される。このようにして、このテレビ１では、ＡＣアダプタ３の各面（２つの主面３１ａ，３１ｂおよび３つの側面３１ｃ〜３１ｅ）が外部に露出しない状態となっている構造においても、ＡＣアダプタ３内で発生した熱が各放熱板３３によって放熱され、収容空間２２ａ内の各吸熱板２４を介してテレビ１の外部に放熱されるため、放熱効率が十分に向上されている。
【００４１】
このように、このＡＣアダプタ３およびテレビ１によれば、テレビ本体２のアダプタ装着部２２に装着された状態においてアダプタ装着部２２の装着面（収容空間２２ａを構成する壁面２３）に対向するＡＣアダプタ３の主面３１ａ，３１ｂに放熱板３３を設けたことにより、ＡＣアダプタ３で発生した熱を放熱板３３に伝導させて、放熱板３３からアダプタ装着部２２の装着面を介してテレビ本体２に放熱させることができる。このため、このＡＣアダプタ３およびテレビ１によれば、アダプタ装着部２２の構造上、装着状態においてＡＣアダプタ３の主面３１ａ，３１ｂが外部に露出しない構造においても、つまり、アダプタ装着部２２の構造の如何に拘わらず、ＡＣアダプタ３で発生した熱を確実に放熱させることができる。したがって、このＡＣアダプタ３およびテレビ１によれば、放熱効率を十分に向上させることができると共に、アダプタ装着部２２の構造を任意に規定することができる。
【００４２】
また、このＡＣアダプタ３およびテレビ１によれば、テレビ本体２のアダプタ装着部２２に対してＡＣアダプタ３をスライドさせて装着可能に構成したことにより、１面（１箇所）にのみ開口部２２ｂを有するアダプタ装着部２２に対してＡＣアダプタ３を容易に装着することができ、このような構造のアダプタ装着部２２に装着した状態、つまりＡＣアダプタ３における６つの面のうちの５つの面が外部に露出しない状態においてもＡＣアダプタ３で発生した熱を確実に放熱させることができる。
【００４３】
また、このＡＣアダプタ３およびテレビ１によれば、放熱板３３を金属板で構成したことにより、金属板が高い熱伝導率を有しているため、放熱効率をさらに向上させることができる。
【００４４】
また、このＡＣアダプタ３およびテレビ１によれば、アダプタ装着部２２を構成する壁面２３に対向する放熱板３３の表面に、樹脂フィルム３４を取り付けたことにより、ＡＣアダプタ３をアダプタ装着部２２に装着する際の、壁面２３（壁面２３に設けられている吸熱板２４）との摩擦抵抗を十分に少なく抑えることができるため、ＡＣアダプタ３をアダプタ装着部２２にスムーズに装着させることができる。
【００４５】
また、このテレビ１によれば、アダプタ装着部２２を構成する壁面２３に吸熱板２４を設けたことにより、ＡＣアダプタ３の放熱板３３から放熱された熱を効率的に吸収する（テレビ本体２側に伝導させる）ことができるため、放熱効率をより向上させることができる。
【００４６】
なお、ＡＣアダプタおよび電子機器の構成は、上記の構成に限定されない。例えば、図８に示すテレビ１０１を採用することができる。なお、以下の説明において、上記したテレビ１と同じ構成要素については、同じ符号を付して、重複する説明を省略する。
【００４７】
このテレビ１０１は、図８に示すように、テレビ本体１０２およびＡＣアダプタ１０３を備えて構成されている。テレビ本体１０２の本体部１１１には、ＡＣアダプタ１０３を装着するためのアダプタ装着部１２２が形成されている。アダプタ装着部１２２は、同図に示すように、５つの壁面１２３で構成されて背面１１１ｂに開口部１２２ｂが形成された収容空間１２２ａを有しており、この収容空間１２２ａ内にＡＣアダプタ１０３を収容可能に構成されている。
【００４８】
また、図８に示すように、各壁面１２３（装着面）には、例えば金属板で構成された吸熱板（吸熱部）１２４がそれぞれ設けられている。また、各壁面１２３のうちの背面１１１ｂに平行な壁面には、ＡＣアダプタ１０３における後述するコネクタ１３７に接続されるコネクタ１２５が配設されている。
【００４９】
ＡＣアダプタ１０３は、図８に示すように、テレビ本体１０２のアダプタ装着部１２２に装着可能な直方体状に形成されている。また、ＡＣアダプタ１０３の主面１３１（ＡＣアダプタ１０３における６つの面のうちの面積が大きな面の１つ）、および４つの側面１３２には、例えば金属板で構成された放熱板（放熱部）１３３がそれぞれ設けられている。また、主面１３１の放熱板１３３を除く他の各放熱板１３３の表面には、樹脂フィルム３４が貼付されている（同図では図示を省略する）。
【００５０】
また、ＡＣアダプタ１０３の主面１３１には、テレビ本体１０２のコネクタ１２５に接続されるコネクタ１３７が配設されている。さらに、ＡＣアダプタ１０３の側面１３２（同図における左側の側面）には、電源コード３５に取り付けられたプラグ１３６が接続されるジャック１３８が配設されている。この場合、このＡＣアダプタ１０３は、アダプタ装着部１２２を構成する各壁面１２３のうちの、テレビ本体１０２における本体部１１１の背面１１１ｂに平行な壁面（装着面に相当する）に主面１３１が対向する状態で、アダプタ装着部１２２に対して嵌め込んで装着することが可能となっている。
【００５１】
このテレビ１０１およびＡＣアダプタ１０３によれば、アダプタ装着部１２２の装着面（テレビ本体１０２の背面１１１ｂに平行な面）に主面１３１が対向する状態でＡＣアダプタ１０３を嵌め込んで装着可能に構成したことにより、主面１３１と同等の広い開口部１２２ｂを有するアダプタ装着部１２２に対してＡＣアダプタ１０３を容易に装着することができる。また、このような構造のアダプタ装着部１２２に装着した状態において、ＡＣアダプタ１０３で発生した熱を放熱板１３３に伝導させて、放熱板１３３からアダプタ装着部１２２の装着面（装着面に設けた吸熱板１２４）を介してテレビ本体１０２に確実に放熱させることができる。
【００５２】
また、図９，１０に示すように、アダプタ装着部２２２を有するテレビ本体２０２と、ＡＣアダプタ２０３とを備えたテレビ２０１を採用することもできる。このテレビ２０１では、図９に示すように、上記した板状の吸熱板２４に代えて、熱を吸熱するための吸熱フィン２２４が、アダプタ装着部２２２を構成する各壁面２２３（この例では、４つの壁面２２３）にそれぞれ設けられている。また、このテレビ２０１では、図１０に示すように、上記した板状の放熱板３３に代えて、放熱フィン２３３が、ＡＣアダプタ２０３の主面２３１（ＡＣアダプタ２０３における６つの面のうちの面積が大きな２つの面）および側面２３２（この例では、２つの側面２３２）にそれぞれ設けられている。
【００５３】
この場合、テレビ本体２０２における本体部２１１の正面２１１ａに平行な２つの壁面２２３に設けられている各吸熱フィン２２４とＡＣアダプタ２０３の各主面２３１に設けられている各放熱フィン２３３とが互いに噛合し、正面２１１ａに直交する２つの壁面２２３に設けられている各吸熱フィン２２４とＡＣアダプタ２０３の各側面２３２に設けられている各放熱フィン２３３とが互いに噛合するように構成されている。また、吸熱フィン２２４および各放熱フィン２３３は熱伝導率が高い金属（例えば、アルミニウムや銅）で形成されている。また、各放熱フィン２３３の表面には、樹脂フィルム３４が貼付されている（図１０では図示を省略する）。
【００５４】
この場合、このテレビ２０１では、各吸熱フィン２２４と各放熱フィン２３３とを噛合させつつ、アダプタ装着部１２２に対してＡＣアダプタ１０３をスライドさせて装着する。このため、吸熱フィン２２４および放熱フィン２３３は、ＡＣアダプタ１０３のスライド方向に沿って各フィンが延在するように構成されている。
【００５５】
このテレビ２０１では、ＡＣアダプタ２０３がアダプタ装着部２２２に装着された状態において、吸熱フィン２２４と放熱フィン２３３とが互いに噛合している。このため、この構成では、吸熱フィン２２４と放熱フィン２３３との接触面積を十分に大きくすることができるため、放熱効率を一層向上させることができる。
【００５６】
また、上記したテレビ１０１におけるアダプタ装着部１２２の吸熱板１２４に代えて上記の吸熱フィン２２４と同様の吸熱フィンを設けると共に、上記したＡＣアダプタ１０３の放熱板１３３に代えて上記の放熱フィン２３３と同様の放熱フィンを設けた構成を採用することもできる。この場合、この放熱フィンの表面に樹脂フィルム３４を貼付する（取り付ける）構成を採用することもできる。
【００５７】
また、金属で形成した吸熱板２４，１２４や放熱板３３，１３３に代えて、放熱シート（一例として、シリーコーン系材料で形成された放熱シート）で形成した吸熱部や放熱部を用いる構成を採用することもできる。また、金属で形成した吸熱フィン２２４および放熱フィン２３３に代えて、シリーコーン系材料で形成した吸熱フィンおよび放熱フィンを採用することもできる。さらに、放熱板３３，１３３および放熱フィン２３３の表面に樹脂フィルム３４を貼付した（取り付けた）構成例について上記したが、樹脂フィルム３４を取り付けない構成を採用することもできる。
【００５８】
また、ＡＣアダプタ３，１０３，２０３の主面３１ａ，３１ｂ，１３１，２３１および側面３１ｃ〜３１ｆ，１３２，２３２の双方に放熱部（放熱板３３，１３３または放熱フィン２３３）を設けた例について上記したが、主面３１ａ，３１ｂ，１３１，２３１にのみ放熱部を設ける構成を採用することもできる。また、アダプタ装着部２２，１２２，２２２の各壁面２３，１２３，２２３に吸熱部（吸熱板２４，１２４または吸熱フィン２２４）を設けた例について上記したが、吸熱部を設けない構成を採用することもできる。
【００５９】
また、アダプタ装着部２２，１２２，２２２に装着（着脱）可能なバッテリーを備えたテレビ１，１０１，２０１を採用することもできる。この場合、この構成では、ＡＣアダプタ３，１０３，２０３とバッテリーとを用途に応じて使い分けるができる。具体的には、ＡＣ電源が存在する場所では、上記したようにアダプタ装着部２２にＡＣアダプタ３を装着してテレビ１を使用し、ＡＣ電源のない場所でテレビ１を使用する際には、ＡＣアダプタ３，１０３，２０３をアダプタ装着部２２，１２２，２２２から取り外して、代わりにバッテリーを装着してテレビ１，１０１，２０１を使用することができる。
【００６０】
また、電子機器としてのテレビ１，１０１，２０１に適用した例について上記したが、テレビ１，１０１，２０１以外の各種の電子機器（例えば、パーソナルコンピュータ、ＡＶ機器、計測機器など）に適用することができるのは勿論である。
【符号の説明】
【００６１】
１，１０１，２０１  テレビ
２，１０２，２０２  テレビ本体
２２，１２２，２２２  アダプタ装着部
３，１０３，２０３  ＡＣアダプタ
２３ａ〜２３ｅ，１２３，２２３  壁面
２４ａ〜２４ｅ，１２４  吸熱板
３１ａ，３１ｂ，１３１  主面
３１ｃ〜３１ｆ，１３２  側面
３３ａ〜３３ｅ，１３３  放熱板
３４  樹脂フィルム
２２４  吸熱フィン
２３３  放熱フィン
【図１】
2013176237.tif 000003
【図２】
2013176237.tif 000004
【図３】
2013176237.tif 000005
【図４】
2013176237.tif 000006
【図５】
2013176237.tif 000007
【図６】
2013176237.tif 000008
【図７】
2013176237.tif 000009
【図８】
2013176237.tif 000010
【図９】
2013176237.tif 000011
【図１０】
2013176237.tif 000012